(57)【特許請求の範囲】
【請求項１】
ハウジングと、
前記ハウジングに支持された駆動源と、
前記ハウジングの前方側で、前記駆動源により駆動される回転刃と、
前記ハウジングに対して回動可能に設けられ、前記回転刃の一部を覆う保護カバーと、
前記ハウジングの前方側上方に設けられたフロントハンドルと、
前記ハウジングの後方側に設けられるリアハンドルと、
前記保護カバーに設けられ、前記保護カバーの開口側から突出量可変に設けられる第1のガイド部と、を備えることを特徴とするエンジン作業機。
【請求項２】
前記第１のガイド部は、前記回転刃の回転軸より前方側に設けられていることを特徴とする請求項１に記載のエンジン作業機。
【請求項３】
前記第１のガイド部は、回転可能に設けられた第１の車輪部を備えることを特徴とする請求項１または請求項２に記載のエンジン作業機。
【請求項４】
前記第１のガイド部は、前記回転刃の回転軸を中心とした略円弧状の軌道上を移動可能に設けられていることを特徴とする請求項１乃至請求項３のうち何れか一項に記載のエンジン作業機。
【請求項５】
前記第１のガイド部より後方側、かつ、前記回転刃の回転軸と前記リアハンドルとの間に設けられ、前記被削材と当接可能な第２のガイド部を備えることを特徴とする請求項１乃至請求項４のうち何れか一項に記載のエンジン作業機。
【請求項６】
前記第２のガイド部は、回転可能に設けられた第２の車輪部を備えることを特徴とする請求項１乃至請求項５のうち何れか一項に記載のエンジン作業機。
【請求項７】
前記保護カバーは、前記第１のガイド部の調整によって変化する回転刃の切込み深さの最大値を表示する表示部を備えることを特徴とする請求項１乃至請求項６のうち何れか一項に記載のエンジン作業機。
【発明の詳細な説明】
【技術分野】
【０００１】
本発明は、携帯用作業機、特にコンクリート等の切断に用いられる携帯用のエンジンカッタに関するものである。
【背景技術】
【０００２】
従来技術におけるエンジンカッタ１０１（携帯用作業機）について図５に本体の外観図を示す。エンジンカッタ１０１はハウジング１０８の内部にエンジン１０２を保持し、ハウジング１０８の後方に形成されたリアハンドル１０４に設けられたスロットルレバー１０５を引くことにより、エンジン１０２のスロットルが調節され、エンジン１０２の回転数が上昇し、エンジン１０２のクラッチ（図示せず）が繋がることで、エンジン１０２の動力を本体先端の回転刃１０３を回転させる。図６に上述のエンジンカッタ１０１の使用時の状態を示す。エンジン１０２の動力により本体の先端に取り付けられた回転刃１０３が回転することで、被切断物Ｗを切断する。このような例は特許文献１によっても示される。
【先行技術文献】
【特許文献】
【０００３】
【特許文献１】実開昭６３−１９０３１１号公報
【発明の概要】
【発明が解決しようとする課題】
【０００４】
上記で述べたような携帯式のエンジンカッタにおいては、切断時に立ち上る粉塵により、本体先端は見えづらくなり、切込み深さＤは作業者の感覚で判断されるため、取り扱いを習熟していない作業者では切込み深さＤを正確に判断できない可能性があった。この問題の対処としては、深さ調節機構を備えた手押し式の移動台を用意し、本体を搭載して作業を行うのが一般的であるが、この方法の場合、高価な移動台を用意する必要があり、また手持ち不可能な移動台を用いるため、垂直壁に対する切断作業には適用不可能という問題があった。
【０００５】
本発明は、上記課題に鑑みてなされたものであり、エンジンカッタ単体で、作業者の習熟度合いに関わらず、一定の切込み深さを得ることが出来、かつ垂直壁の切込み深さ調節にも対応した携帯式エンジンカッタを提供することを目的とする。
【課題を解決するための手段】
【０００６】
上記目的を達成するために、本発明に係る携帯用作業機は、ハウジングと、前記ハウジングに支持された駆動源と、前記ハウジングの前方側で、前記駆動源により駆動される回転刃と、前記ハウジングに対して回動可能に設けられ、前記回転刃の一部を覆う保護カバーと、前記ハウジングの前方側上方に設けられたフロントハンドルと、前記ハウジングの後方側に設けられるリアハンドルと、前記保護カバーに設けられ、前記保護カバーの開口側から突出量可変に設けられる第１のガイド部と、を備えることを特徴とする。
【０００７】
また、前記第１のガイド部は、前記回転刃の回転軸より前方側に設けられていてもよい。
【０００８】
また、前記第１のガイド部は、回転可能に設けられた第１の車輪部を備えるていてもよい。
【０００９】
また、前記第１のガイド部は、回転刃の回転軸を中心とした略円弧状の軌道上を移動可能に設けられていてもよい。
【００１０】
また、前記第１のガイド部より後方側、かつ、前記回転刃の回転軸と前記リアハンドルとの間に設けられ、前記被削材と当接可能な第２のガイド部を備えていてもよい。
【００１１】
また、前記第２のガイド部は、回転可能に設けられた第２の車輪部を備えていてもよい。
【００１２】
また、前記保護カバーは、前記回転刃の前記第１のガイド部からの突出量を表示する表示部を備えていてもよい。
【発明の効果】
【００１３】
本発明によれば、保護カバーに深さ調整機構を取り付けたことにより、所望の切込み深さを得ることができる携帯用作業機を提供することができる。
【図面の簡単な説明】
【００１４】
【図１】本発明の実施形態に係るエンジンカッタを示す図である。
【図２】本発明の実施形態に係るエンジンカッタの切り込み深さ調整機構の拡大図である。
【図３】図２の状態から切り込み深さが深くなるよう調整した状態を示す図である。
【図４】本発明の実施形態に係るエンジンカッタの使用状態を示す図である。
【図５】従来式のエンジンカッタを示す図である。
【図６】従来式のエンジンカッタの使用状態を示す図である。
【発明を実施するための形態】
【００１５】
以下、本発明の実施形態を添付図面に沿って説明する。図１に示すように、携帯用作業機（以下、エンジンカッタ）１は、２サイクルエンジン（駆動源）２を支持する本体ハウジング８（ハウジング）を備える。本体ハウジング８は、エンジン２の出力を調整するスロットルレバー５が配置されたリアハンドル４と、フロントハンドル６を備える。また、本体ハウジング８は、リアハンドル４の延出方向である後方側（図の左方向）と逆方向の前方側（図の右方向）に延び、本体ハウジング８と離れた側の端部に円板状の回転刃３が回転可能に取付けられた図示しないアームを備える。アームの両端部には、回転刃３の回転軸１４に取付けられた回転刃側プーリと、エンジン側プーリとがそれぞれベルトが巻き掛けられた状態で回転可能に支持され、回転刃３にエンジン２の動力を伝達する。エンジンカッタ１の保護カバー７には、保護カバー７の側面円周上を回動可能な深さ調整ロッド７が取付けられている。尚、本明細書では作業者がエンジンカッタ１を保持した際を基準に、図中に示す方向を前後、上下左右方向と定義して説明する。
【００１６】
保護カバー７は、例えばマグネシウム等の高強度材からなり、略半円状に形成され、回転刃３のハウジング８側、即ちフロントハンドル６及びリアハンドル４側を把持する作業者側を覆うと共に、他方側に開口を有し、回転刃３を露出させている。また、保護カバー７は回転刃３に沿って回動可能に支持されており、作業状態に合わせて移動させることが可能となっている。本発明の実施形態において、保護カバー７は、外周側にロッド１１、ローラ１０（第１のガイド部）、及び固定用のノブボルト１２を有して構成される切り込み深さ調整装置１７を備えている。図２に切り込み深さ調整機構の拡大図を示す。
【００１７】
保護カバー７の外周側には、回転刃３に沿った円弧状の凹部１５が形成されており、凹部１５の内側にはロッド１１が嵌め込まれている。ロッド１１は凹部１５同様に円弧状に形成されるとともに、凹部１５の幅より若干細く形成され、凹部１５内を円弧状にスライド移動可能に構成されている。ロッド１１は円柱若しくは板状に形成されている。切り込み深さ調整装置１７には、凹部１５上を跨ってボルト保持部材１６がロッド１１を挟むように設けられ、ボルト保持部材１６には貫通孔の内周にネジ溝が形成された図示しないネジ孔が設けられ、ボルト保持部材１６のネジ孔にはノブボルト１２の図示しないボルト部が螺合している。ノブボルト１２は、ボルト保持部材１６のネジ孔に締めこむことで、ボルト部が凹部１５側に入り込む方向に移動するとともに、ボルト部の端面によりロッド１１を押し付けることが可能となっている。ロッド１１は、ノブボルト１２が緩んだ状態でのみ凹部１５の溝部に沿って移動可能に設けられており、これにより突出量を調整可能となっている。また、ロッド１１には目盛り１３が刻まれ、保護カバー７に設けられた目印と合わせて切り込み深さの調整度合いを目視にて確認できるようになっている。作業者は所望の突出量であることを目盛り１３により確認したところで、ノブボルト１２を締め付けることによりロッド１１が押し付けられ、位置固定可能に構成されている。
【００１８】
ロッド１１の保護カバー７から突出した側の端部には、ローラ１０が回転可能に設けられている。ローラ１０は、回転刃３の回転軸１４と平行な回転軸を有し、被切断材に押し付けた状態で前後方向に移動可能となっている。ローラ１０はロッド１１の先端に設けられているため、ロッドが移動することにより、ローラ１０が回転軸１４を中心とした円弧状に移動する。尚、ロッドは回転刃３の回転軸１４より前方側に設けられ、回転刃３の外周に沿って後方側に向かって突出する。これにより、回転刃３が露出する範囲のうち切断作業時において使用頻度の高い下方側の領域を保ったまま、切り込み深さの調整を行うことが可能となっている。このため、切り込み深さ調整時のエンジンカッタ１の作業状態への影響を抑えることができ、保護カバー７全体を回動させての調整頻度を抑制できる。
【００１９】
図３は、図２の状態に対してローラ１０の保護カバー７からの突出量Pを小さくした、即ち切り込み深さDが深くなるように調整した状態を示す図である。尚、保護カバー７には更にロッド１１が設けられる側と回転軸１４を挟んで反対側の外周部に支点となるローラ９（第２のガイド部）が設けられている。ローラ９は、ローラ１０と同様、回転軸１４と平行な軸線を有して回転可能に設けられ、ローラ９とローラ１０とを同時に被切断物Wに当接させた状態で前後方向に移動可能に構成されている。これにより、作業者が調整する切り込み深さDは、保護カバー７の開口の両端側に設けられたローラ９とローラ１０を結んだ線からの回転刃３の突出量となる。作業者は、図２の状態において、ノブボルト１２を一旦緩め、ロッド１１を図面時計回りに移動させた後に、保護カバー７の目印とロッドの目盛り１３を所望の位置に合わせ（所望の深さDに合わせ）、ノブボルト１２を再度締め付けることにより、図３の作業状態に調整することができる。
【００２０】
図４は、作業状態を示す図である。作業者はリアハンドル４とフロントハンドル６を把持してエンジンカッタ１を持った状態で、深さ調整ロッド１１の先端および保護カバー７の下端設けられた二点のローラ９，１０を被切断物Ｗの水平面に押し付けることで、ロッド７の保護カバーからの突出量Ｐに応じた一定の切込み深さＤを得ることが出来る。また、垂直壁の切断作業においても同様に、被切断物Ｗの垂直面にローラ９，１０を押し付けることで一定の切込み深さＤを得ることが出来る。このようなエンジンカッタ１を用いての作業の一例として、作業者は、フロントハンドル６に近い側のローラ９を先に被切断物Ｗに押し付け、ローラ９を支点として、エンジンカッタ１を前方側に回転させ、回転刃３を徐々に被切断物Ｗに切り込ませる。エンジンカッタ１を前方側に傾倒させると、ローラ１０が被切断物Ｗに当接する。この状態で、エンジンカッタ１を前後に移動（図４では後方側に移動）することにより、所定の切り込み深さを保ったまま切断作業を行うことが可能となる。また、このように支点９を中心として作業を行うことで、重量のあるエンジンカッタ１の作業性を更に向上させることができる。
【００２１】
以上のように構成することにより、保護カバー７の深さ調整機構を調節することで、所望の切込み深さを得ることができる携帯用作業機１を提供することができる。また、ローラ１０は、回転刃３の回転軸１４より前方側に設けられているため、回転刃３の下側の範囲を常に使用することができ、作業状態への影響を抑制することが可能である。また、ロッド１１及びローラ１０が、回転刃３の回転軸１４を中心とした略円弧状の軌道上を移動可能に設けられていることから、保護カバー７及び回転刃３の外周から突出することが無く、取り回しの際に邪魔になることが無いと共に、本体が大型化することを抑制することができる。また、回転刃３の回転軸１４とリアハンドル４との間に設けられ、被削材Ｗと当接可能なローラ９を備えていることにより切り込み開始時に支点として働くことで、作業性を向上させることが可能となる。また、ローラ９は、回転可能に設けられていることで、支点として本体を回動させる際の操作がスムーズになる。また、ローラ９及びローラ１０は回転可能に設けられていることから、切断作業中にも被切断物Ｗ上を押し付けながら移動することが可能となり、切断作業時の労力を大幅に低減できると共に、ローラ９，１０に沿って移動が支持されるため、切り曲がり等を抑制することが可能となる。尚、ローラ９は保護カバー７のローラ１０の反対側に設けられており、保護カバー７がどのような回動位置にある場合であっても、ローラ１０と協動することで切り込み深さを調整することが可能である。また、回転刃３による切り込み深さ、即ちローラ９とローラ１０とを結ぶ線からの回転刃３の突出量Ｄを表示するため、保護カバー７とロッド１１の目盛り１３からなる表示部を備えているため、作業者が所望の切り込み深さに調節することが容易となる。また、表示部は回転刃３の側面に備えられていることから、作業時に現在の状況を認識することが容易となる。
【００２２】
なお、本発明の携帯用作業機は、上述した実施の形態に限定されず、特許請求の範囲に記載した範囲で種々の変形や改良が可能である。
【００２３】
例えば、上記の切込み深さＤを数値で管理するため、ロッド１１に目盛り１３を設けた構成としたが、保護カバー側に設けてもよい。また、表示部における深さの値は、取り付けられる回転刃３の径によって幾つかのパターンが設けられていてもよい。また、保護カバーからの突出量Ｐが表示されていてもよい。また、本明細書で説明したエンジンカッタ１は、２サイクルエンジンを搭載した構成であったが、４サイクルエンジンでもよく、又は電動機を備えたものであってもよい。
【符号の説明】
【００２４】
１  エンジンカッタ
２  エンジン
３  回転刃
４  リアハンドル
６  フロントハンドル
７  保護カバー
８  ハウジング
９  ローラ
１０  ローラ
１１  ロッド
１２  ノブボルト
１３  切込み深さ目盛り
Ｗ  被切断物
Ｐ  突出量
Ｄ  切込み深さ
【図１】
0005720312.tif 000002
【図２】
0005720312.tif 000003
【図３】
0005720312.tif 000004
【図４】
0005720312.tif 000005
【図５】
0005720312.tif 000006
【図６】
0005720312.tif 000007